(57)【要約】【課題】簡単な構成で、円柱状の評価材料の側面を別の評価材料に対して線接触させることができる磨耗試験機の評価材料取付冶具を提供することである。【解決手段】第１の評価材料と第２の評価材料との摩擦、摩耗特性の評価試験を行う磨耗試験機の評価材料取付冶具において、該磨耗試験機に前記第２の評価材料を固定し、該固定した第２の評価材料に荷重をかけて前記第１の評価材料に接触させる評価材料取付冶具であって、所定方向に可撓性を有することを特徴とする。【選択図】図１
2009085904.tif 000002
【特許請求の範囲】
【請求項１】
第１の評価材料と第２の評価材料との摩擦、摩耗特性の評価試験を行う磨耗試験機において、
該磨耗試験機に前記第２の評価材料を固定し、該固定した第２の評価材料に荷重をかけて前記第１の評価材料に接触させる評価材料取付冶具が、所定方向に可撓性を有することを特徴とする磨耗試験機。
【請求項２】
前記評価材料取付冶具が、前記第２の評価材料と前記第１の評価材料との摺動方向と並行ではない方向に可撓性を有することを特徴とする請求項１に記載の磨耗試験機。
【請求項３】
第１の評価材料と第２の評価材料との摩擦、摩耗特性の評価試験を行う磨耗試験機の評価材料取付冶具において、
該磨耗試験機に前記第２の評価材料を固定し、該固定した第２の評価材料に荷重をかけて前記第１の評価材料に接触させる評価材料取付冶具であって、所定方向に可撓性を有することを特徴とする磨耗試験機の評価材料取付冶具。
【請求項４】
前記第２の評価材料と前記第１の評価材料との摺動方向と並行ではない方向に可撓性を有することを特徴とする請求項３に記載の磨耗試験機の評価材料取付冶具。
【発明の詳細な説明】
【技術分野】
【０００１】
本発明は磨耗試験機の評価材料取付冶具に関し、詳しくは磨耗試験を行う評価材料を磨耗試験機に取り付けるのに用いる評価材料取付冶具に関する。
【背景技術】
【０００２】
従来、たとえば機械摺動部品に用いられる表面硬化処理材や表面コーティング材、樹脂材等の摩擦、摩耗特性の評価試験を実施する磨耗試験機が知られている。この磨耗試験機としては、一般にピンオンディスク試験機と呼ばれるものが知られている（非特許文献１参照）。
【０００３】
このピンオンディスク試験機では、円盤状（ディスク）の第１の評価材料と、先端が点形状（ピン）の第２の評価材料とを設け、第１の評価材料の表面に第２の評価材料の先端を突き立てた状態で荷重を加え、第１の評価材料を回転させて、第１の評価材料と第２の評価材料との点接触部分での摩擦、磨耗状態を観測するようにしている。
【０００４】
【非特許文献１】摩擦磨耗評価技術の紹介、［online］、川重テクノサービス株式会社、［平成１９年７月３１日検索］、インターネット＜URL：http://www.kawaju.co.jp/techno-wm/bn_012/showroom01.html＞
【発明の開示】
【発明が解決しようとする課題】
【０００５】
非特許文献１に記載のピンオンディスク試験機のような従来の磨耗試験機では、上述のように、点接触での摩擦、磨耗状態を観測するものであり、球状のボールベアリングの試験を行うのには適している。
【０００６】
最近では円柱状のコロベアリングが普及し、このコロベアリングの試験を行う要望が出てきている。ところが、上述の従来の磨耗試験機では、第１の評価材料と第２の評価材料とを点接触させることを前提に構成されており、たとえば円柱状のコロベアリングのように円柱の側面にて線接触する部材の試験を行うことはできなかった。
【０００７】
すなわち、従来の磨耗試験機では、円盤状の第１の評価材料に対して、コロベアリングのように円柱状の第２の評価材料の側面を接触させようとすると、片側のみが接触してしまって、側面全体で線接触させることが困難であるという問題があった。
【０００８】
本発明は上記の点にかんがみてなされたもので、簡単な構成で、たとえば円柱状の評価材料の側面を別の評価材料に対して線接触させることができる磨耗試験機の評価材料取付冶具を提供することを目的とする。
【課題を解決するための手段】
【０００９】
本発明は、第１の評価材料と第２の評価材料との摩擦、摩耗特性の評価試験を行う磨耗試験機の評価材料取付冶具において、該磨耗試験機に前記第２の評価材料を固定し、該固定した第２の評価材料に荷重をかけて前記第１の評価材料に接触させる評価材料取付冶具であって、所定方向に可撓性を有することを特徴とする。
【００１０】
また本発明は、前記第２の評価材料と前記第１の評価材料との摺動方向と並行ではない方向に可撓性を有することを特徴とする。
【発明の効果】
【００１１】
本発明によれば、簡単な構成で、たとえば円柱状の評価材料の側面を別の評価材料に対して線接触させることができる磨耗試験機の評価材料取付冶具を提供することができる。
【００１２】
また、本発明によれば、評価材料取付冶具のシャフトが可撓性を有するので、第２の評価材料の円柱側面と第１の評価材料との接触を均一な線接触とすることができる。
【００１３】
また、本発明によれば、評価材料取付冶具のシャフトが可撓性を有するので、第２の評価材料の円柱側面と第１の評価材料との接触を線接触とするための向きや位置の調整等が不要である。
【００１４】
また、本発明によれば、評価材料取付冶具のシャフトが可撓性を有するので、第２の評価材料のたとえば円柱側面と第１の評価材料との接触を線接触とすることが再現性よく実現できる。
【００１５】
また、本発明によれば、評価材料取付冶具のシャフトが可撓性を有するので、荷重により自動調心性を発揮することができる。
【発明を実施するための最良の形態】
【００１６】
以下、本発明の実施の形態について図面を参照して詳細に説明する。
【００１７】
図１は、本発明の一実施の形態による評価材料取付冶具を取り付けた磨耗試験機の概略を示す斜視図である。
【００１８】
本実施の形態の磨耗試験機１は、図１に示すように、ガイド２に評価材料取付冶具３を固定し、これに対して荷重をかける加圧ウェイト６を設けて構成される。
【００１９】
評価材料取付冶具３の下端には第２の評価材料である円柱状部材４が固定され、その下側には第１の評価材料である平板状部材５が載置される。
【００２０】
平板状部材５の上には、評価材料取付冶具３に固定された円柱状部材４が載せられ、この円柱状部材４には加圧ウェイト６による荷重がかけられる。この状態で、平板状部材５は図１に示す矢印方向にスライドし、これによって円柱状部材４と平板状部材５との摩擦、磨耗試験が実施される。
【００２１】
図２は、図１に示した評価材料取付冶具３を示す図であり、（ａ）は評価材料取付冶具３を下方から見た斜視図であり、（ｂ）は評価材料取付冶具３を円柱状部材４の底面側から見た側面図であり、（ｃ）は評価材料取付冶具３を円柱状部材４の側面側から見た側面図である。
【００２２】
本実施の形態の評価材料取付冶具３は、上端をガイド２に固定されるシャフト３ａと、円柱状部材４を固定するマウント３ｂとを有して構成される。
【００２３】
シャフト３ａには溝部３ｃが設けられている。この溝部３ｃは、図２（ａ）、（ｂ）、（ｃ）に示すように、マウント３ｂに固定される円柱状部材４の上面側および底面側にのみ設けられ、シャフト３ａがこの方向（軸方向）に対してのみ可撓性を有する（第２の評価材料（円柱状部材４）と第１の評価材料（平板状部材５）との摺動方向と並行ではない方向に可撓性を有する）ように構成されている。この部分が本実施の形態において可撓部を構成する。
【００２４】
マウント３ｂは円柱状部材４を嵌め込むための評価材料収容部を有しており、本実施の形態では、図２（ａ）、（ｂ）、（ｃ）に示すように、この評価材料収容部が斜めに設けられており、外側から挿入された押さえネジ３ｄがマウント３ｂを貫通して円柱状部材４を評価材料収容部の内壁に押し付け、３点支持で円柱状部材４をマウント３ｂに固定するようにしている。
【００２５】
本実施の形態の評価材料取付冶具３によれば、上述のように、シャフト３ａが、円柱状部材４の上面側および底面側の方向に対して可撓性を有する（第２の評価材料（円柱状部材４）と第１の評価材料（平板状部材５）との摺動方向と並行ではない方向に可撓性を有する）ので、円柱状部材４の側面を平板状部材５に線接触させることができ、線接触状態での摩擦、磨耗試験を実現することができる。この点について、実験結果を参照しながら、以下に詳説する。
【００２６】
図３は、図２（ａ）、（ｂ）、（ｃ）に示した評価材料取付冶具３の調心性能を試験する調心性能試験機の概略を示す斜視図である。
【００２７】
図３に示す調心性能試験機１０は、ガイド１２に本実施の形態の評価材料取付冶具３を固定し、これに対して荷重をかける加圧ウェイト１６を設けて構成される。
【００２８】
評価材料取付冶具３の下端には第２の評価材料である円柱状部材４が固定され、その下側には試験用紙１５が載置される。
【００２９】
試験用紙１５は感圧紙であり、圧力がかけられることによって発色するものであり、その発色具合によって、評価材料取付冶具３に固定された円柱状部材４による試験用紙１５の加圧位置を観測し、調心性能を測定することができる。
【００３０】
すなわち、円柱状部材４の側面において平板状部材５との線接触を望む場合には、調心性能試験機１０による試験結果として、円柱状部材４の底面から上面までの長さと同じ長さで試験用紙１５が発色するのが望ましい。
【００３１】
図４は、図３に示した調心性能試験機１０による試験を実施した試験用紙１５の様子を示す図であり、（ａ）は、評価材料取付冶具として可撓性を有さないシャフトを用いた場合の試験用紙１５を示す図であり、（ｂ）は、本実施の形態の評価材料取付冶具３を用いた場合の試験用紙１５を示す図である。
【００３２】
図４（ａ）の試験用紙１５は、評価材料取付冶具として可撓性を有さないシャフトを用いる以外は図３の調心性能試験機１０と同じ環境で、加圧ウェイト１６によって１０［Ｎ］の加圧を行い、試験用紙１５を長手方向にずらして、再度、加圧ウェイト１６によって１０［Ｎ］の加圧を行う操作を繰り返し、１０回の加圧を行った結果である。
【００３３】
また、図４（ｂ）の試験用紙１５は、本実施の形態の評価材料取付冶具３を用いた図３の調心性能試験機１０で、加圧ウェイト１６によって１０［Ｎ］の加圧を行い、試験用紙１５を長手方向にずらして、再度、加圧ウェイト１６によって１０［Ｎ］の加圧を行う操作を繰り返し、１０回の加圧を行った結果である。
【００３４】
図４（ａ）と図４（ｂ）とを比較してわかるように、図４（ａ）の試験用紙１５では円柱状部材４の底面から上面までの長さの一部しか発色していないのに対して、図４（ｂ）の試験用紙１５では円柱状部材４の底面から上面までの長さの全体で発色しており、所望の結果が得られたことがわかる。
【００３５】
なお、本発明による評価材料取付冶具において対象とする評価材料の形状は、上述した円柱形上に限られるものではなく、平軸受などのように角柱形状のものであってもよいし、中空の筒状のものであってもよいことはいうまでもない。
【図面の簡単な説明】
【００３６】
【図１】本発明の一実施の形態による評価材料取付冶具を取り付けた磨耗試験機の概略を示す斜視図である。
【図２】図１に示した評価材料取付冶具３を示す図であり、（ａ）は評価材料取付冶具３を下方から見た斜視図であり、（ｂ）は評価材料取付冶具３を円柱状部材４の底面側から見た側面図であり、（ｃ）は評価材料取付冶具３を円柱状部材４の側面側から見た側面図である。
【図３】図２（ａ）、（ｂ）、（ｃ）に示した評価材料取付冶具３の調心性能を試験する調心性能試験機の概略を示す斜視図である。
【図４】図３に示した調心性能試験機１０による試験を実施した試験用紙１５の様子を示す図であり、（ａ）は、評価材料取付冶具として可撓性を有さないシャフトを用いた場合の試験用紙１５を示す図であり、（ｂ）は、本実施の形態の評価材料取付冶具３を用いた場合の試験用紙１５を示す図である。
【符号の説明】
【００３７】
１  磨耗試験機
２  ガイド
３  評価材料取付冶具
３ａ  シャフト
３ｂ  マウント
３ｃ  溝部
３ｄ  押さえネジ
４  円柱状部材
５  平板状部材
【図１】
2009085904.tif 000003
【図２】
2009085904.tif 000004
【図３】
2009085904.tif 000005
【図４】
2009085904.tif 000006